(57)【要約】【課題】  録画再生装置で設定した録画予約の内容等の情報を表示させてユーザに確認することができるとともに、ユーザ不在時における無駄な消費電力を抑える。【解決手段】  予約した録画時間に到達すると、テレビジョン受像機の電源がオフしている場合、テレビジョン受像機の電源をオンし、強制的に予約設定したチャンネルの映像が表示させる。これにより、予約した内容を確認できる。この時、音声処理回路に対してミュート制御信号を出力して音声をミュートし、この後、ユーザにより音量変更指示が所定時間無い場合、ＴＶ回路の電源をオフして予約録画を継続する。これにより、ユーザ不在時における無駄な消費電力を抑えられる。【選択図】      図３
2007088546.tif 000002
【特許請求の範囲】
【請求項１】
録画予約機能を備えた録画再生装置が内蔵されるテレビジョン受像機であって、前記録画再生装置の録画予約を開始する録画制御手段と、その録画予約の開始時刻に前記テレビジョン受像機の電源がオンで、視聴中の番組と録画予約した番組が異なる場合、録画予約した画面又はその予約内容を表示させる制御手段と、前記テレビジョン受像機の電源がオフの場合、オフからオンへと切り換える電源制御手段と、電源オフからオンへと切り換え、前記録画予約の開始時刻に音声をミュートさせる音声処理手段を備えることを特徴とするテレビジョン受像機。
【請求項２】
録画予約の開始時刻に前記電源をオフからオンに切り換えた際、前記電源オン時からの時間をカウントするタイマー手段と、このタイマー手段によって所定時間、音量変更動作が成されたか否かを判定し、該音量が変更されなかった場合、電源制御手段によりテレビジョン受像機の電源をオフするように構成したことを特徴とする請求項１記載のテレビジョン受像機。
【発明の詳細な説明】
【技術分野】
【０００１】
本発明は、録画予約機能を備えたテレビジョン受像機、特に、予約した番組を確認することが可能であるとともにユーザ不在時などにおいて省電力化が可能なテレビジョン受像機に関する。
【背景技術】
【０００２】
従来からテレビジョン受像機にはＤＶＤなどの録画再生装置が接続され、近年ではテレビジョン受像機に録画再生装置を内蔵した複合機も広く普及している。このような、録画再生装置あるいは録画再生装置を内蔵した複合機には予約録画機能が備えられ、予約するチャンネル、放送時間帯、日時や曜日を予約設定することで所望の番組の予約が可能である。
【０００３】
このような予約録画機能を備えたテレビジョン受像機として例えば、特許文献１では、番組予約番号を予め入力することで予約時刻に達したら強制的に予約した番組の画像を表示させる番組予約テレビジョン受信機が開示され、また、特許文献２には、予約時間開示時に予約した番組を視聴している場合、予約している番組を録画するか否かを選択するための表示を行う録画装置が開示されている。
【０００４】
【特許文献１】登録実用新案第３００７６３９号公報
【特許文献２】特開平１０−１３４４４６号公報
【発明の開示】
【発明が解決しようとする課題】
【０００５】
特許文献１で示すテレビジョン受像機は、予約時刻に達した際、テレビジョン受信機側の電源がオン状態であれば、録画が正常に行われているか否かを確認でき、また、特許文献２に示す録画装置においては、予約時刻に到達又はその予約時刻以前の所定時間内に録画するか否かを選択できるが、特許文献１においてはテレビジョン受信機の電源がオフの状態では画面によって予約した番組の画面を確認することが困難である。また、例え電源がオン状態であっても、例えばユーザが不在の場合、不必要に録画予約した画面が表示されることになるから、無駄な消費電力を消費するばかりでなく、夜間などにおいて騒音問題が発生する虞れがある。
【０００６】
本発明は上記課題を鑑みてなされたものであり、電源のオンオフ状態に拘らず録画予約の時刻に達した場合、その予約した番組を確認できるとともに、ユーザ不在時において、無駄な消費電力を消費することなく、ユーザ不在時などにおいて省電力化が可能なテレビジョン受像機を提供することを目的とする。
【課題を解決するための手段】
【０００７】
請求項１に係るテレビジョン受像機は、録画予約機能を備えた録画再生装置が内蔵されるテレビジョン受像機であって、前記録画再生装置の録画予約を開始する録画制御手段と、その録画予約の開始時刻に前記テレビジョン受像機の電源がオンで、視聴中の番組と録画予約した番組が異なる場合、録画予約した画面又はその予約内容を表示させる制御手段と、前記テレビジョン受像機の電源がオフの場合、オフからオンへと切り換える電源制御手段と、電源オフからオンへと切り換え、前記録画予約の開始時刻に音声をミュートさせる音声処理手段を備えたことを特徴とする。
【０００８】
請求項１の構成によれば、番組のチャンネル、放送時間帯、日時や曜日などを設定すると、その予約情報を記憶し、予約した録画時間に到達すると予約録画を開始する。この時その視聴中のチャンネルと予約したチャンネルとが異なる場合、予約したチャンネルに切り換える。一方、テレビジョン受像機の電源がオフしている場合、テレビジョン受像機の電源をオンし、予約設定したチャンネルの音声をミュートした状態で映像を表示し、予約録画を開始する。
【０００９】
請求項２に係るテレビジョン受像機は、請求項１記載のテレビジョン受像機において、録画予約の開始時刻に前記電源をオフからオンに切り換えた際、前記電源オン時からの時間をカウントするタイマー手段と、このタイマー手段によって所定時間、音量変更動作が成されたか否かを判定し、該音量が変更されなかった場合、電源制御手段によりテレビジョン受像機の電源をオフするように構成したことを特徴とする。
【００１０】
請求項２の構成によれば、録画予約の開始時刻に電源をオフからオンに切り換わると、録画開始時間から時間をカウントし、ユーザにより音量変更指示があるか否かを判別し、ユーザによって音量変更指示があった場合、タイムカウントをリセットし、所望の音量によって予約録画番組を視聴する。一方、所定時間経過しても音量変更指示がない場合、ユーザが不在若しくは就寝中と判断し、テレビジョン受像機の電源をオフし、予約終了時刻まで予約録画を継続する。
【発明の効果】
【００１１】
請求項１に係るテレビジョン受像機によれば、録画予約機能を備えた録画再生装置が内蔵されるテレビジョン受像機であって、前記録画再生装置の録画予約を開始する録画制御手段と、その録画予約の開始時刻に前記テレビジョン受像機の電源がオンで、視聴中の番組と録画予約した番組が異なる場合、録画予約した画面又はその予約内容を表示させる制御手段と、前記テレビジョン受像機の電源がオフの場合、オフからオンへと切り換える電源制御手段と、電源オフからオンへと切り換え、前記録画予約の開始時刻に音声をミュートさせる音声処理手段を備えたことにより、電源のオンオフに拘らず予約した番組を確認することが可能である。
【００１２】
請求項２に係るテレビジョン受像機によれば、請求項１記載のテレビジョン受像機において、録画予約の開始時刻に前記電源をオフからオンに切り換えた際、前記電源オン時からの時間をカウントするタイマー手段と、このタイマー手段によって所定時間、音量変更動作が成されたか否かを判定し、該音量が変更されなかった場合、電源制御手段によりテレビジョン受像機の電源をオフするように構成したことにより、所定時間経過しても音量変更指示がない場合、ユーザが不在若しくは就寝中と判断し、自動的にオフすることから、省電力化が可能である。
【発明を実施するための最良の形態】
【００１３】
以下、本発明を実施するための最良の形態としての実施例を図１から図３を参照して説明する。もちろん、本発明は、その発明の趣旨に反さない範囲で、実施例において説明した以外のものに対しても容易に適用可能なことは説明を要するまでもない。
【００１４】
図１〜図３は、本発明の一実施例を示し、図１は、テレビジョン受像機のブロック図、図２はメインマイコンを示すブロック図、図３は予約録画の方法を示すフローチャートであり、本実施例におけるテレビジョン受像機１は、録画再生装置を内蔵する複合機に適用した場合を示している。図１に示すように、テレビジョン受像機１（複合機）は、装置全体の動作を制御するためのメインマイコン２と、ＭＰＥＧエンコーダ３、ＭＰＥＧデコーダ４及びビデオデコーダ５、ビデオエンコーダ６を制御するＤＶＤマイコン７を有している。また、映像記憶再生装置１には、受信アンテナで受信される複数の放送信号より希望のチャネルの放送信号を選択し、その放送信号に対応するビデオ信号を得るチューナ８と、このチューナ８より出力されるビデオ信号又はビデオエンコーダ６より出力されるビデオ信号による映像を表示するＣＲＴ（Ｃａｔｈｏｄｅ−Ｒａｙ  Ｔｕｂｅ）ディスプレイ、あるいはＬＣＤ（Ｌｉｑｕｉｄ  Ｃｒｙｓｔａｌ  Ｄｉｓｐｌａｙ）等のフラットパネルディスプレイで構成されるモニタ９と、このモニタ９に映像を映し出すための映像処理を行うクロマ１０及び音声処理部１１及び電源部１２と、デスク１３に記憶されたデータの読み取りあるいは記憶するためのピックアップ１４とを有している。
【００１５】
ビデオエンコーダ６は、記録時にチューナ８より出力されるビデオ信号に対してＡ／Ｄ変換処理をしてデジタルの記録、ビデオデータを得ると共に、この記録ビデオデータに対してＭＰＥＧエンコーダ３でデジタル信号を圧縮処理して記録用のＭＰＥＧストリームを生成する。ＭＰＥＧデコーダ４は、再生時に、ディスクに記憶されたＭＰＥＧストリームに対してデータ伸長処理をして再生ビデオデータを生成し、その再生ビデオデータをビデオエンコーダ６に出力してＤ／Ａ変換処理をしてアナログのビデオ信号を得ている。
【００１６】
次に前記メインマイコン２とＤＶＤマイコン７の制御について図２のブロック図を参照して説明する。メインマイコン２は、例えばリモコン装置などの操作手段（図示せず）からの入力信号などを指示部１５へと出力され、この指示部１５からの信号を電源制御部１６へと出力することによって、ユーザの要求した操作にしたがってＴＶ回路の電源を供給する。音声処理部１７は、指示部１５からの指示に従って音声処理回路部（図示せず）にミュート信号を出力する。また、タイマー部１８は前記ＴＶ回路に電源を供給してからの時間をカウントする。また、制御部１９は、これら指示部１５、音声処理回路部１７、タイマー部１８を制御する。
【００１７】
ＤＶＤマイコン７は制御部２０、指示部２１、録画制御部２２から成り、制御部２０は指示部２１からの指示でＤＶＤマイコン７の各部の制御を行い、録画制御部２２によって録画を開始する。
【００１８】
次に図３のフローチャートを参照して本実施例における予約録画の方法について説明する。ユーザは、テレビジョン受像機１（複合機）のリモコンを操作して、まず、予約録画設定画面にて番組のチャンネル、放送時間帯、日時や曜日などを設定すると、リモコン装置で指定された特定のチャンネル、放送時間帯、日時や曜日をメモリ（図示しない）などに記憶し、予約した録画時間に到達すると（ステップＳ１）、テレビジョン受像機１の電源の状態を判別し（ステップＳ２）、ユーザが視聴中等、テレビジョン受像機１の電源がオンの場合、ＤＶＤマイコン７の録画制御部２１によって予約録画を開始する（ステップＳ３）。その視聴中のチャンネルと予約したチャンネルと異なる場合、制御部１９によってチューナ８を制御し、強制的に予約したチャンネルに切り換える。なお、チューナ８を二組搭載したいわゆる、ダブルチューナの場合、メイン画面で視聴中のチャンネルを表示し、サブ画面で予約録画したチャンネルを表示する又は予約録画したチャンネルをＯＳＤ表示して予約画面の内容を確認する（ステップＳ４）。
【００１９】
一方、テレビジョン受像機１の電源がオフしている場合、ＤＶＤマイコン７の録画制御部２１によって予約録画を開始（ステップＳ５）し、メインマイコン２の電源制御部１６によってＴＶ回路の電源を供給し（ステップＳ６）、その時間をタイマー部１８によってカウントするとともに、モニター９に予約設定したチャンネルの映像が表示させる。この時、音声処理部１７によって音声処理回路に対するミュート制御信号を出力してテレビジョン受像機１の音声をミュートする（ステップＳ７）。この後、ユーザにより音量変更指示があるか否かを判別し（ステップＳ８）、ユーザによって音量変更指示があった場合（ステップＳ９）、タイムカウントをリセットし、ユーザが設定した所望の音量によって予約録画番組を視聴しながら予約録画を継続する（ステップＳ９）。一方、所定時間経過しても音量変更指示がない場合（ステップＳ１０）、ユーザが不在若しくは就寝中であると判断し、電源制御部１６によってＴＶ回路の電源をオフしてモニター９にて表示される予約録画画面を消す。この時、音声処理回路に対するミュート制御信号を出力して通常の音量に戻すとともに、タイマー部１８によるタイムカウントをリセットし（ステップＳ１１）、予約録画を継続する（ステップＳ１２）。
【００２０】
以上のように、本発明においては、予約録画時間に達した際、視聴中の番組と予約録画した番組が異なる場合、予約したチャンネルに強制的に切り換えることで、予約番組の内容を確認することができる。また、テレビジョン受像機１の電源がオフしている場合であっても、そのテレビジョン受像機１の電源を強制的にオンすることでユーザに予約番組の内容を確認させることができる。この際、テレビジョン受像機１の音声をミュートすることで、例えば、ユーザが不在あるいは就寝中などにおいて、不用意に大きな音声が出力されることがないため、特に夜間時における騒音などを引き起こす心配もない。さらに、所定時間、音声変更指示が無い場合は、ユーザ不在あるいは就寝中であると判断し、自動的にテレビジョン受像機１の電源をオフすることから無駄な消費電力を抑え、省電力化が可能であるため、合理的である。
【００２１】
以上、本発明の一実施例を説明したが、本発明は前記実施例に限定されるものではなく、本発明の要旨の範囲内で種々の変形実施が可能である。
【図面の簡単な説明】
【００２２】
【図１】本発明の一実施例を示すテレビジョン受像機のブロック図である。
【図２】同上、メインマイコンを示すブロック図である。
【図３】同上、予約録画の方法を示すフローチャートである。
【符号の説明】
【００２３】
１  テレビジョン受像機
９  モニタ（表示手段）
１６  電源制御部（電源制御手段）
１７  音声処理部（音声処理部）
１８  タイマー部（タイマー手段）
１９  制御部（制御手段）
２２  録画制御部（録画制御手段）
【図１】
2007088546.tif 000003
【図２】
2007088546.tif 000004
【図３】
2007088546.tif 000005